(57)【要約】【課題】  小物を収納できる携帯端末を提供する。【解決手段】  立体的な小物４０を保持可能な柔軟な面状部材３１を、枠部材３０を用いて携帯端末１０の筐体２１、２２における操作部２１ａや表示部２２ａと反対側面２１ｂ、２２ｂに取り付けるので、携帯端末１０に小物４０を収納できることになる。ここで、柔軟な面状部材３１としては、立体的な小物４０に押し付けたときに伸び縮みするフィルム状の部材や、ゴムを編んで形成されている網目状の物等を例示できる。また、枠部材３０に取り付けられる面状部材３１が１枚の場合には面状部材３１と筐体２１、２２との間に小物４０等を保持できるが、面状部材３１を２枚以上設ける場合には、面状部材３１間に小物４０等を保持して、枠部材３０により筐体２１、２２に取り付けることができる。【選択図】  図１
2006094144.tif 000002
【特許請求の範囲】
【請求項１】
一方の面に操作部や表示部が設けられた筐体を有する携帯端末であって、
前記筐体の他方の面に取付可能に設けられた枠部材と、
前記枠部材に取り付けられ立体的な小物を保持可能な柔軟な面状部材と、
を有することを特徴とする携帯端末。
【請求項２】
前記面状部材が、透視性を有することを特徴とする請求項１記載の携帯端末。
【請求項３】
前記枠部材が、ヒンジにより前記筐体に回動自在に取り付けられていることを特徴とする請求項１または２記載の携帯端末。
【請求項４】
前記枠部材が、前記筐体に着脱自在に取り付けられていることを特徴とする請求項１ないし請求項３のいずれかに記載の携帯端末。
【発明の詳細な説明】
【技術分野】
【０００１】
本発明は、内側面に操作部や表示部が設けられた筐体を有する携帯端末に関するものである。
【背景技術】
【０００２】
従来の携帯端末の一例が図５に示されている。この携帯端末１００では、ダイヤルボタン等が設けられた操作部本体１０１と、液晶表示器等が設けられた表示部本体１０２とを、ヒンジ部１０３を介して折畳み状態と展開状態とに回転自在に組み合わせてある。
折畳み状態では、操作部本体１０１の内側面である操作面１０１ａと、表示部本体１０２の内側面である表示面１０２ａとが対向し、展開状態では、操作面１０１ａと表示面１０２ａとが同じ側において隣接することになる。表示部本体１０２の外側面１０２ｂには、化粧面１０４が取り付けられており、この化粧面１０４の外側面には結合手段１０５によって化粧パネル１０６が着脱自在に設けられている（例えば特許文献１参照）。
【特許文献１】特開２００２−１２５０２２号公報（図１）
【発明の開示】
【発明が解決しようとする課題】
【０００３】
しかしながら、従来の携帯端末においては、化粧面１０４は平坦であり、色や柄を変えるために交換自在に表示部本体１０２の外側面に取り付けられているものの内部に立体的な物を収納するということはできなかった。このため、小物、特に携帯端末に使用するものが収納できると、紛失することなく、携帯端末に使用する際には便利であるという要望があった。
【０００４】
本発明は、従来の問題を解決するためになされたもので、小物を収納できる携帯端末を提供することを目的とする。
【課題を解決するための手段】
【０００５】
本発明の携帯端末は、一方の面に操作部や表示部が設けられた筐体を有する携帯端末であって、前記筐体の他方の面に取付可能に設けられた枠部材と、前記枠部材に取り付けられ立体的な小物を保持可能な柔軟な面状部材と、を有する構成を有している。
【０００６】
この構成により、立体的な小物を保持可能な柔軟な面状部材を、枠部材を用いて携帯端末の筐体における操作部や表示部と反対側面に取り付けるので、携帯端末に小物を収納できることになる。ここで、柔軟な面状部材としては、立体的な小物に押し付けたときに伸び縮みするフィルム状の部材や、ゴムを編んで形成されている網目状の物等を例示できる。
また、枠部材に取り付けられる面状部材が１枚の場合には面状部材と筐体との間に小物等を保持できるが、面状部材を２枚以上設ける場合には、面状部材間に小物等を保持して、枠部材により筐体に取り付けることができる。
【０００７】
また、本発明にかかる携帯端末は、前記面状部材が、透視性を有する構成を有している。
【０００８】
この構成により、面状部材と筐体との間に保持されている小物を、取り出すことなく外部から視認できる。
なお、面状部材を透明な材質で形成する場合のみならず、透明ではない材料を用いて網のように向こう側を透視できるように形成したものであってもよい。
【０００９】
さらに、本発明にかかる携帯端末は、前記枠部材が、ヒンジにより前記筐体に回動自在に取り付けられている構成を有している。
【００１０】
この構成により、小物を出し入れする際には、枠部材をヒンジによって回動させることにより、面状部材を開閉できる。
従って、枠部材を閉じることにより面状部材と筐体との間に小物等を保持できるし、あるいは、小物等を保持している面状部材を、枠部材と閉じることにより筐体に取り付けることもできる。
【００１１】
また、本発明にかかる携帯端末は、前記枠部材が、前記筐体に着脱自在に取り付けられている構成を有している。
この構成により、枠部材を筐体に対して着脱することにより、面状部材と筐体との間に小物等を保持できる。
【発明の効果】
【００１２】
本発明は、立体的な小物を保持可能な柔軟な面状部材を、枠部材を用いて携帯端末の筐体の外側面に取り付けるので、立体的な小物を保持できる携帯端末を提供できるものである。
【発明を実施するための最良の形態】
【００１３】
以下、本発明の実施形態の携帯端末について、図面を用いて説明する。図１は本発明の実施の形態にかかる携帯端末の閉じた状態を示す斜視図、図２は開いた状態を示す斜視図である。
すなわち、この携帯端末１０は、一方の面に操作部２１ａや表示部２２ａが設けられた筐体２１、２２を有するものであって、筐体２１、２２の他方の面２２ｂ、（２１ｂ）に取付可能に設けられた枠部材３０と、枠部材３０に取り付けられ立体的な小物４０を保持可能な柔軟な面状部材３１と、を有する。
【００１４】
この携帯端末１０は、例えば折りたたみ式のものであり、図２に示すように、操作部２１ａを一方の面である内側面に有する第１筐体２１と、表示部２２ａを一方の面である内側面に有する第２筐体２２とを、ヒンジ２３によって開閉自在に連結したものである。
従って、図１に示すように、閉じた状態では、第１筐体２１の操作部２１ａと第２筐体２２の表示部２２ｂは対向することになり、図２に示すように、ヒンジ２３を中心にして第１筐体２１と第２筐体２２とを相対的に回動させることにより開くことができる。
【００１５】
枠部材３０は、第２筐体２２の他方の面２２ｂ（外側面）に取り付けられた際に、第２筐体２２から外側に突出しないような大きさであり、例えば矩形状の額縁状の部材である。従って、枠部材３０の内側は空間である。
また、面状部材３１は、小物４０を保持した際に弾性変形し、その復帰力により小物４０を保持できる柔らかな、透視性のある部材である。
これにより、小物４０を確実に保持できるとともに、保持している小物４０が何であるか、外側から容易に確認できる。面状部材３１としては、例えば、透明な弾性変形するフィルム状の部材や、透明ではないゴムを網目状に編んだものであり、向こう側が透視できるような部材等を挙げることができる。
【００１６】
保持可能な小物としては、撮像可能な携帯端末１０で撮影した画像を記憶するメモリカードや、携帯端末１０で使用する電池、携帯端末１０を他の電子機器と接続するためのＵＳＢケーブル、携帯端末１０の取扱説明書、家庭用電源と接続するためのＡＣケーブル、携帯端末１０によって音楽を聴く際に用いるヘッドホーン、等携帯端末１０に用いる小物４０を例示できる。
また、携帯端末１０とは関係のない、例えば名刺、指輪、時計等、種々のものを挙げることができる。
【００１７】
図２に示すように、枠部材３０を第２筐体２２の他方の面２２ｂ（外側面）に対向して、ヒンジとしての枠用ヒンジ２４により回動自在に設けることができる。この場合には、枠部材３０を第２筐体２２に固定する固定手段としてフック３０ａおよび止め金具２２ｃを設けて、不用意に枠部材３０が第２筐体２２から開かないようにする。
あるいは、固定手段として、枠用ヒンジ２４を中心として枠部材３０を第２筐体２２に押し付けるようなバネ部材を設けるようにしてもよい。
なお、図３に示すように、枠部材３０をネジ２５を用いて取り付けるようにしてもよい。この場合には、枠部材３０を第２筐体２２に固定するフック３０ａや止め金具２２ｃを設ける必要はないが、枠部材３０を開ける場合には、ネジ２５を全て外す必要がある。
【００１８】
図４には、枠部材３０と、枠部材３０に取り付けられている面状部材３１の状態が示されている。
図４（Ａ）に示すように、１個の面状部材３１を１個の枠部材３０に取り付けることができる。この場合、枠部材３０の下面３０ｂ（第２筐体２２と対向する側面）に面状部材３１を取り付けると、面状部材３１と第２筐体２２との間に薄い小物４０をしっかりと保持できる。
一方、図示はしないが、枠部材３０の上面３０ｃや内側面３０ｄに面状部材３１を取り付けると、面状部材３１の弾性的変形によって厚みがある小物４０を確実に保持できる。
【００１９】
また、図４（Ｂ）に示すように、枠部材３０を２つの枠部材３０Ａ、３０Ｂで構成し、各枠部材３０Ａ、３０Ｂに面状部材３１Ａ、３１Ｂを取り付けるようにしてもよい。
このような携帯端末１０において小物４０を保持する場合には、まず、枠部材３０Ａ、３０Ｂを合わせて面状部材３１Ａ、３１Ｂの間に小物４０を保持し、この状態で枠部材３０Ａ、３０Ｂを枠用ヒンジ２４を中心として回動させ、両枠部材３０Ａ、３０Ｂを第２筐体２２の外側面（他方の面２２ｂ）に固定することにより、小物４０を保持するようにする。さらに、下側の面状部材３１Ｂと第２筐体２２との間に小物４０を保持することも可能である。
なお、面状部材３１Ａ、３１Ｂを各枠部材３０Ａ、３０Ｂに取り付ける位置は、図４（Ａ）において前述したものと同様である。また、枠部材３０および面状部材３１を３個以上設けることも可能である。
【００２０】
このような本発明の実施の形態に係る携帯端末１０によれば、立体的な小物４０を保持可能な柔軟な面状部材３１を、枠部材３０を用いて携帯端末１０の筐体２１、２２における操作部２１ａや表示部２２ｂと反対側面２１ｂ、２２ｂに取り付けるので、携帯端末１０に小物４０を収納できることになる。
【００２１】
なお、以上の説明では、折畳み式の携帯端末１０において、表示部２２ａを有する第２筐体２２の外側面に枠部材３０および面状部材３１を設けて小物４０を保持する場合について説明したが、操作部２１ａを有する第１筐体２１の外側面に枠部材３０および面状部材３１を設けて小物４０を収納するようにすることもできる。
さらに、枠部材３０は、例えば複数のビス等により第２筐体２２に着脱自在に取り付けられてもよい。これによれば、形状や大きさが異なる収納物に適した枠部材を適宜選択できることになるので、収納物に対する汎用性が向上する。
また、前述した実施形態においては、折畳み式の携帯端末１０に枠部材３０および面状部材３１を設けて小物４０を保持する場合について説明したが、その他のスライド式やストレート式の携帯端末についても同様に実施可能である。
【産業上の利用可能性】
【００２２】
以上のように、本発明に係る携帯端末は、立体的な小物を保持可能な柔軟な面状部材を、枠部材を用いて携帯端末の筐体の外側面に取り付けるので、立体的な小物を保持できるという効果を有し、内側面に操作部や表示部が設けられた筐体を有する携帯端末等として有用である。
【図面の簡単な説明】
【００２３】
【図１】本発明の実施の形態における携帯端末の閉じた状態の斜視図
【図２】本発明の実施の形態における携帯端末の開いた状態の斜視図
【図３】枠部材の止め方の別の例を示す斜視図
【図４】（Ａ）１個の枠部材と１枚の面状部材から構成する場合を示す断面図  （Ｂ）２個の枠部材と２枚の面状部材から構成する場合を示す断面図
【図５】従来の携帯端末の分解斜視図
【符号の説明】
【００２４】
１０  携帯端末
２１  第１筐体（筐体）
２１ａ  操作部
２１ｂ、２２ｂ  他方の面
２２  第２筐体（筐体）
２２ａ  表示部
２４  枠用ヒンジ（ヒンジ）
３０  枠部材
３１  面状部材
４０  小物
【図１】
2006094144.tif 000003
【図２】
2006094144.tif 000004
【図３】
2006094144.tif 000005
【図４】
2006094144.tif 000006
【図５】
2006094144.tif 000007